(57)【特許請求の範囲】
【請求項１】
軸筒（２）後端より突出するノック棒（８）を軸方向前方に押圧操作した際、軸筒（２）の外面より径方向外方に突出した係止部（６）が、軸筒（２）内のレフィル（１１）の前方移動と共に前方移動してクリップ（３）前部内面より突出した玉部（４）と係合し、一方、クリップ（３）を持ち上げた際、前記係合状態が解除され、前記レフィル（１１）の後方移動と共に前記係止部（６）が後方移動するセーフティ機構を有するノック式筆記具であって、前記係止部（６）は、その前面（６１）及び後面（６２）を曲面状又は傾斜面状とし、その外側面に肩部（６３）を設けた軸方向に延びる板状体であり、一方、前記玉部（４）は、その前面（４１）及び後面（４２）を曲面状又は傾斜面状とし、前記係止部（６）が挿入可能な軸方向に貫設された凹溝（４４）を備え、前記凹溝（４４）の内側面に前記係止部（６）の肩部（６３）が係合可能な段部（４３）を設けたことを特徴とするノック式筆記具。
【請求項２】
軸筒（２）後端より突出するノック棒（８）を軸方向前方に押圧操作した際、軸筒（２）の外面より径方向外方に突出した係止部（６）が、軸筒（２）内のレフィル（１１）の前方移動と共に前方移動してクリップ（３）前部内面より突出した玉部（４）と係合し、一方、クリップ（３）を持ち上げた際、前記係合状態が解除され、前記レフィル（１１）の後方移動と共に前記係止部（６）が後方移動するセーフティ機構を有するノック式筆記具であって、前記玉部（４）は、その前面（４１）及び後面（４２）を曲面状又は傾斜面状とし、その外側面に肩部（４５）を設けた軸方向に延びる板状体であり、一方、前記係止部（６）は、その前面（６１）及び後面（６２）を曲面状又は傾斜面状とし、前記玉部（４）が挿入可能な軸方向に貫設された凹溝（６７）を備え、前記凹溝（６７）の内側面に前記玉部（４）の肩部（４５）が係合可能な段部（６６）を設けたことを特徴とするノック式筆記具。
【発明の詳細な説明】
【０００１】
【発明の属する技術分野】
本発明はノック式筆記具に関する。詳細には、ノック操作によって軸筒内のレフィルのペン先を軸筒先端より突出させると共に、万一、筆記具をペン先突出状態でポケット等に差し入れたとしても、クリップ玉部での係合状態を解除してペン先を軸筒内に没入させ、衣服等を汚すことを防止するクリップセーフティ機構を備えたノック式筆記具に関する。
【０００２】
尚、本発明で「前」とはペン先側を指し、「後」とはノック操作側を指す。
【０００３】
【従来の技術】
従来、実公昭６３−３１９８７号公報には、「軸筒後端に押圧子８ａ（本願のノック棒に相当）を有し、軸筒内に前後動自在に嵌挿された筆記体１１ａ（本願のレフィルに相当）を該押圧子に付勢する如くなしたノック式筆記具に於てクリップ３ａ先端に係止孔４３ａを設け、該係止孔４３ａに対向した位置の軸筒に孔を設け、前記押圧子と連動する係合部６ａ（本願の係止部に相当）を該孔から突出させ前記クリップの係止孔４３ａに係脱することを特徴とするノック式筆記具の筆記体出入装置。」が開示されている。（図９参照）
【０００４】
【発明が解決しようとする課題】
前記従来の筆記具は、図９に示すように、係合部６ａの係合面が、クリップ３ａの係止孔４３ａと確実な係合をなすように垂直面形状（又は鉤形状）となっている。そのため、例えば、衣服等の布製のポケット等に差し入れた後、筆記具をポケットから抜き取る際、係合部６ａをポケットの端縁の折り返し部（縫合箇所）に引っ掛けやすく、それにより、前記折り返し部を損傷させるおそれがあった。
【０００５】
また、バインダー手帳等の皮革製の保持筒９ａに筆記具を挿入させた場合、前記保持筒９ａが係合部６ａ後方（即ち、クリップ３ａ基部と係合部６ａとの間）に入り込んで、前記保持筒９ａの端縁と係合部６ａの係合面が引っ掛かったり、あるいは保持筒９ａ内面と係合部６ａ外面とが食いついたりして、容易には保持筒９ａから筆記具を抜き取ることができないおそれがあった。
【０００６】
本発明は前記従来の問題点を解決するものであって、筆記具をポケットや保持筒等の被挟持物にスムーズに差し入れることが可能であることは勿論、該被挟持物から筆記具を抜き取る際、係止部を被挟持物に引っ掛けること等がなく、スムーズに抜き取ることが可能なノック式筆記具を提供しようとするものである。
【０００７】
【課題を解決するための手段】
＜第１の発明＞
本願の第１の発明は、軸筒２後端より突出するノック棒８を軸方向前方に押圧操作した際、軸筒２の外面より径方向外方に突出した係止部６が、軸筒２内のレフィル１１の前方移動と共に前方移動してクリップ３前部内面より突出した玉部４と係合し、一方、クリップ３を持ち上げた際、前記係合状態が解除され、前記レフィル１１の後方移動と共に前記係止部６が後方移動するセーフティ機構を有するノック式筆記具１であって、前記係止部６は、その前面６１及び後面６２を曲面状又は傾斜面状とし、その外側面に肩部６３を設けた軸方向に延びる板状体であり、一方、前記玉部４は、その前面４１及び後面４２を曲面状又は傾斜面状とし、前記係止部６が挿入可能な軸方向に貫設された凹溝４４を備え、さらに、前記凹溝４４の内側面に前記係止部６の肩部６３が係合可能な段部４３を設けたこと（請求項１）を要件とする。（図１乃至図３参照）
【０００８】
・作用
玉部４の前面４１及び係止部６の前面６１を曲面又は傾斜面としたことにより、被挟持物９（例えば、ポケット、保持筒等）に筆記具のクリップ３を挿入する際、被挟持物９の端縁が、玉部４の前面４１及び係止部６の前面６１と引っ掛かることなく円滑に摺動し、被挟持物９へ筆記具のクリップ３をスムーズに挿入することができる。
【０００９】
また、玉部４の後面４２及び係止部６の後面６２を曲面状又は傾斜面状としたことにより、被挟持物９から筆記具を抜き取る際、被挟持物９（例えば、ポケットの折り返し部、保持筒の端縁等）が係止部６の後面６２や玉部４の後面４２と引っ掛かることなく円滑に摺動し、筆記具のクリップ３から被挟持物９を容易に離脱させることができる。
【００１０】
係止部６の外側面に肩部６３を設け、凹溝４４の内側面に前記肩部６３が係合可能な段部４３を設けた構成により、被挟持物９との摺動面に係合箇所を設けず、係合構造を有効に形成でき、同時に、係止部６の前面６１及び後面６２、並びに玉部４の前面４１及び後面４２（即ち、被挟持物９との摺動面となる箇所）を傾斜面状又は曲面状に有効に形成できる。
【００１１】
また、玉部４に係止部６が挿入可能な凹溝４４を設けた構成により、係止部６に凹溝６７を設ける場合（図８参照）に比べて、玉部４（即ち、挟持突起）を大きく（即ち、幅広かつ突出量大）に設定でき、被挟持物９の挟持を安定化させることができる。
【００１２】
【００１３】
＜第２の発明＞
本願の第２の発明は、軸筒２後端より突出するノック棒８を軸方向前方に押圧操作した際、軸筒２の外面より径方向外方に突出した係止部６が、軸筒２内のレフィル１１の前方移動と共に前方移動してクリップ３前部内面より突出した玉部４と係合し、一方、クリップ３を持ち上げた際、前記係合状態が解除され、前記レフィル１１の後方移動と共に前記係止部６が後方移動するセーフティ機構を有するノック式筆記具１であって、前記玉部４は、その前面４１及び後面４２を曲面状又は傾斜面状とし、その外側面に肩部４５を設けた軸方向に延びる板状体であり、一方、前記係止部６が、その前面６１及び後面６２を曲面状又は傾斜面状とし、前記玉部４が挿入可能な軸方向に貫設された凹溝６７を備え、さらに、前記凹溝６７の内側面に前記玉部４の肩部４５が係合可能な段部６６を設けたこと（請求項２）を要件とする。（図７及び図８参照）
【００１４】
・作用
玉部４の前面４１及び係止部６の前面６１を曲面又は傾斜面としたことにより、被挟持物９（例えば、ポケット、保持筒等）に筆記具のクリップ３を挿入する際、被挟持物９の端縁が、玉部４の前面４１及び係止部６の前面６１と引っ掛かることなく円滑に摺動し、被挟持物９へ筆記具のクリップ３をスムーズに挿入することができる。
【００１５】
また、玉部４の後面４２及び係止部６の後面６２を曲面又は傾斜面としたことにより、被挟持物９から筆記具を抜き取る際、被挟持物９（例えば、ポケットの折り返し部、保持筒の端縁等）が係止部６の後面６２や玉部４の後面４２と引っ掛かることなく円滑に摺動し、筆記具のクリップ３から被挟持物９を容易に離脱させることができる。
【００１６】
玉部４の外側面に肩部４５を設け、係止部６の凹溝６７の内側面に前記肩部４５が係合可能な段部６６を設けた構成により、被挟持物９との摺動面に係合箇所を設けず、係合構造を有効に形成でき、同時に、係止部６の前面６１及び後面６２、並びに玉部４の前面４１及び後面４２（即ち、被挟持物９との摺動面となる箇所）を傾斜面状又は曲面状に有効に形成できる。
【００１７】
【００１８】
【発明の実施の形態】
本発明の実施の形態を図面に従って説明する。
【００１９】
第１実施例
図１〜図６に本発明の第１実施例を示す。本実施例のノック式筆記具１は、軸筒２と、該軸筒２内に収容されたレフィル１１と、該レフィル１１のペン先１２を軸筒２の先端孔２２（具体的には、軸筒２前端に螺合により取り外し自在の先体２１の先端孔２２）より出没自在にさせる出没機構とを備える。また、前記出没機構は、筆記具のクリップ３をペン先１２突出状態でポケット等に差し入れた際に、ペン先１２突出状態を解除してペン先１２を軸筒２内に没入させるクリップセーフティ機構を有する。
【００２０】
（出没機構）
前記出没機構は、回転カム機構を用いたノック式出没機構であり、軸筒２内に配置された円筒状のカム筒５と、該カム筒５のカム部と係合し且つレフィル１１後端と当接する回転子７と、該回転子７と係合し且つ軸筒２後端より突出するノック棒８と、軸筒２内に収容され且つレフィル１１を後方へ付勢する弾発体１３（例えば、コイルスプリング）とからなる。また、前記出没機構は、ペン先突出操作、及びペン先没入操作の両操作が、ノック棒８を前方へ押圧するダブルノック式である。
【００２１】
（セーフティ機構）
前記セーフティ機構は、軸筒２外面より突出する係止部６を外面に備えたカム筒５と、前記係止部６と係合する玉部４（段部４３）を内面に備えたクリップ３とからなる。前記カム筒５は、軸筒２内に前後動自在に収容されている。また、前記クリップ３は、軸筒２外面に固定されている。
【００２２】
（玉部）
前記クリップ３は、合成樹脂の射出成形によって軸筒２外面より一体に形成された板状体であり、径方向の可撓性を有する。前記クリップ３の前端近傍内面には、玉部４が一体に突設されている。前記玉部４は、図３（ａ）に示すように、前面４１及び後面４２が曲面状（前面４１が凸曲面状、後面４２が凸曲面状及び凹曲面状）となると共に、その中央部に、係止部６が挿入可能な凹溝４４が軸方向に貫設されている。さらに、前記凹溝４４の内側面の両方には、係止部６の肩部６３と係合可能な段部４３が形成される。
【００２３】
さらに詳細には、前記凹溝４４は、前部に幅広部４４ａ、後部に幅狭部４４ｂが形成され、前記幅広部４４ａに係止部６の厚肉部６４が、前記幅狭部４４ｂに係止部６の薄肉部６５が挿入可能であり、前記幅広部４４ａと前記幅狭部４４ｂとの連接部分に前記段部４３が形成されている。
【００２４】
（係止部）
前記カム筒５は、合成樹脂製円筒体であり、前進後退可能なよう軸筒２内に摺動可能に収容される。前記カム筒５の外面には、係止部６が一体に設けられる。また、前記クリップ３の径方向内面と対峙する軸筒２側壁にはスライド孔２３が貫設され、前記スライド孔２３を通して、前記係止部６が軸筒２内面から軸筒２外面に摺動可能に突出している。尚、前記係止部６は、軸筒２に対して径方向にほとんど変形しない非可撓性である。
【００２５】
前記係止部６は、図３（ｂ）に示すように、傾斜面状の前面６１と、傾斜面状の後面６２を備えた軸方向に延びる板状リブである。また、前記係止部６は、前記傾斜面状の前面６１を備えた厚肉部６４が前部に形成され、かつ、前記傾斜面状の後面６２を備えた薄肉部６５が後部に形成され、前記厚肉部６４と前記薄肉部６５との間の連接部分の両側面には肩部６３が形成される。
【００２６】
前記厚肉部６４は前記凹溝４４の幅広部４４ａ内に挿入可能であり、また、前記薄肉部６５は前記凹溝４４の幅狭部４４ｂ内に挿入可能であり、さらに、前記肩部６３は、クリップ３の玉部４の段部４３と係合可能である。
【００２７】
（セーフティ機構の作用）
通常の筆記使用時（即ち、セーフティ機構の非作動状態）、カム筒５の係止部６と、クリップ３の玉部４（段部４３）とが係合している。
【００２８】
そして、被挟持物９に筆記具のクリップ３を差した際、クリップ３が径方向外方に持ち上げられることによりセーフティ機構が作動し、前記係止部６と前記段部４３の係合が解除され、弾発体１３の後方付勢によるカム筒５の後方移動に伴い、係止部６が、スライド孔２３内面に沿って後方に移動し、該スライド孔２３の後端内面に当接する。その結果、ペン先１２が軸筒２内に没入される。
【００２９】
（係止部の後面の作用）
図２に示すように、バインダー手帳の皮革製の保持筒（被挟持物９）に筆記具のクリップ３を挿入した後、筆記具を保持筒から抜き取る際に、前記保持筒の前端及び内面は、係止部６の傾斜面状の後面６２と滑らかに摺動し、係止部６の後面６２に引っ掛かることなしに、被挟持物９から筆記具を円滑に抜き取ることができる。
【００３０】
（カム筒）
図５に示すように、前記カム筒５は、その内面に、前記回転子７が係合するカム部を備える。前記カム部は、前方へ突出する鋸歯状の複数のカム歯５１と、該カム歯５１間に形成した３本の縦溝５２とからなる。
【００３１】
（回転子）
図６（ｂ）に示すように、前記回転子７は、その外面に長手方向に延びる３本の突条７１を備え、前記突条７１の傾斜面状の後端部７１ａが、前記カム筒５のカム歯５１と係合されると共に、前記突条７１の長手方向に延びる側面部７１ｂが、前記カム筒５の縦溝５２と係合する。また、前記回転子７は、軸筒２内の弾発体１３により、レフィル１１と共に後方に付勢されている。また、前記突条７１の後端部７１ａより後方には、小径部７２が設けられ、該小径部７２がノック棒８内に遊挿されている。
【００３２】
（ノック棒）
図６（ａ）及び図２に示すように、前記ノック棒８は、有底筒状体であり、前端に鋸歯状の複数のカム歯８１を備える。前記カム歯８１は、少なくとも、ノック操作時、前記回転子７の突条７１の傾斜面状の後端部７１ａと係合可能である。また、前記ノック棒８外面には、抜け止め突起８２が設けられ、前記抜け止め突起８２と、軸筒２内面に設けた当接壁（例えば、軸筒２内面の内向突起、あるいはスライド孔２３の内壁）との当接により、前記ノック棒８が軸筒２後端より脱落することを防止できる。
【００３３】
（出没機構の作用）
・突出操作
ペン先１２を没入状態（図４）から突出状態にする際、軸筒２後端より突出のノック棒８の後端部を前方へ押圧操作する。このとき、ノック棒８前端のカム歯８１と、レフィル１１後端に当接する回転子７に形成した突条７１の傾斜面状の後端部７１ａとが係合する。そのため、前記押圧操作と同時に、前記回転子７が、その突条７１の側面部７１ｂをカム筒５の縦溝５２内を摺動させながら、前方に移動される。その後、前記突条７１が前記縦溝５２から前方に抜け出し、前記回転子７が回転方向にフリーとなる。この時、ノック棒８のカム歯８１と回転子７の後端部７１ａとの係合によって、回転子７が回転方向に僅かに送られるため、突条７１の後端部７１ａがカム筒５のカム歯５１と係止される。前記回転子７の前方移動に伴って、レフィル１１が、弾発体１３の前方付勢に抗して前方に押圧され、軸筒２の先端孔２２から前方にペン先１２が突出される。前記突条７１の後端部７１ａとカム筒５のカム歯５１との係止によって、ペン先突出状態が維持される。
【００３４】
・没入操作
ペン先１２を突出状態から没入状態（図４）にする際、前記突出操作同様、軸筒２後端より突出のノック棒８の後端部を前方へ押圧操作する。このとき、ノック棒８の前端のカム歯８１と、レフィル１１後端に当接する回転子７に形成した突条７１の傾斜面状の後端部７１ａとが係合する。そのため、前記押圧操作と同時に、突条７１の後端部７１ａとカム筒５のカム歯５１との係合が解除され、回転子７が回転方向に僅かに送られる。前記回転子７は、レフィル１１を介して弾発体１３により後方へ付勢されているため、前記押圧操作を解除した後、突条７１の縦溝５２に沿った後方移動に伴い、後方に移動される。即ち、レフィル１１が後方に移動され、先端孔２２より前方に突出していたペン先１２が軸筒２内に没入される。
【００３５】
（レフィル）
前記レフィル１１は、先端にボールペンペン先１２（例えば、先端に外径０．３ｍｍのボールを抱持したボールペンチップ）を備え、内部に油性インキ又は水性インキと、該インキの消費に従って前進する追従体（例えば、シリコンオイル等の高粘度流体）とを収容したボールペンカートリッジである。前記レフィル１１は、軸筒２前端に螺着された先体２１（前端に先端孔２２を有する先細状筒体）を取り外すことにより、軸筒２内から取り出して交換可能である。また、前記先体２１の内面の段部４３が、前記レフィル１１を前方付勢する弾発体１３を保持している。
【００３６】
第２実施例
図７及び図８に本発明の第２実施例を示す。本実施例のノック式筆記具１は第１実施例の変形例であり、係止部６及び玉部４の構成が第１実施例と異なり、他の構成は第１実施例と同様である。
【００３７】
（玉部）
図８（ａ）に示すように、玉部４は、クリップ３前部内面に一体に形成され、凸曲面状の前面４１と、凸曲面状及び凹曲面状の後面４２とを備えた軸方向に延びる板状リブよりなる。前記玉部４の外面の両側には、肩部４５が形成されている。前記玉部４は、前部が薄肉部４７、後部が厚肉部４６となり、前記薄肉部４７と前記厚肉部４６との連接部分に前記肩部４５が形成されている。
【００３８】
（係止部）
図８（ｂ）に示すように、係止部６は、カム筒５外面に一体に形成され、傾斜面状の前面６１と傾斜面状の後面６２とを備えた軸方向に延びる２枚の板状リブよりなる。前記係止部６は、中央部に軸方向の凹溝６７が貫設され、該凹溝６７の内面の両側には、前記玉部４の肩部４５が係合可能な段部６６が形成されている。
【００３９】
前記凹溝６７は、前部に前記玉部４の薄肉部４７が挿入可能な幅狭部６７ｂ、後部に前記玉部４の厚肉部４６が挿入可能な幅広部６７ａが形成され、さらに、前記幅狭部６７ｂと前記幅広部６７ａとの連接部分に前記段部６６が形成されている。
【００４０】
尚、本発明において、ペン先１２は、ボールペンペン体の他にも、繊維ペン体、多孔質ペン体、軸方向のインキ導出路を備えたプラスチック押出成形製ペン体、細管ペン体、先端に切り割りを有する板状ペン体（いわゆる万年筆のペン先）、シャープペンシル等、いずれであってもよい。
【００４１】
尚、本発明において、前記クリップ３の材質は、合成樹脂製の他、金属製でもよい。また、クリップ３は、軸筒２と一体に形成してもよいが、軸筒２と独立した別部材の取り付けにより形成してもよい。
【００４２】
尚、本発明において、凹溝４４の内側面に設ける段部４３は、凹溝４４の内側面の両側に設ける構成の他、凹溝４４の内側面の片側に設ける構成でもよい。また、係止部６又は玉部４の外側面に設ける肩部６３・４５は、係止部６又は玉部４の外側面の両側に設ける構成の他、係止部６又は玉部４の外側面の片側に設ける構成でもよい。
【００４３】
【発明の効果】
本発明ノック式筆記具は、前記請求項１の構成により、筆記具をポケットや保持筒等の被挟持物にスムーズに差し入れることが可能であることは勿論、該被挟持物から筆記具を抜き取る際、スムーズに抜き取ることが可能となる。
【００４４】
【００４５】
本発明ノック式筆記具は、前記請求項２の構成により、筆記具をポケットや保持筒等の被挟持物にスムーズに差し入れることが可能であることは勿論、該被挟持物から筆記具を抜き取る際、スムーズに抜き取ることが可能となる。
【００４６】
【図面の簡単な説明】
【図１】本発明の第１実施例のペン先没入状態（セーフティ機構作動後の状態／クリップ係合解除状態）の縦断面図である。
【図２】図１の作用を説明する要部拡大縦断面図である。
【図３】（ａ）は図１の玉部の拡大斜視図、（ｂ）は図１の係止部の拡大斜視図である。
【図４】図１のペン先没入状態（セーフティ機構作動前の状態／クリップ係合状態）の縦断面図である。
【図５】図１のカム筒の拡大縦断面図である。
【図６】（ａ）は図１のノック棒の拡大図であり、（ｂ）は図１の回転子の拡大図である。
【図７】本発明の第２実施例のペン先没入状態（セーフティ機構作動後の状態／クリップ係合解除状態）の縦断面図である。
【図８】（ａ）は図７の玉部の拡大斜視図、（ｂ）は図７の係止部の拡大斜視図である。
【図９】従来の例を示す図である。
【符号の説明】
１ ノック式筆記具
１１ レフィル
１２ ペン先
１３ 弾発体
２ 軸筒
２１ 先体
２２ 先端孔
２３ スライド孔
３ クリップ
４ 玉部
４１ 前面
４２ 後面
４３ 段部
４４ 凹溝
４４ａ 幅広部
４４ｂ 幅狭部
４５ 肩部
４６ 厚肉部
４７ 薄肉部
５ カム筒
５１ カム歯
５２ 縦溝
６ 係止部
６１ 前面
６２ 後面
６３ 肩部
６４ 厚肉部
６５ 薄肉部
６６ 段部
６７ 凹溝
６７ａ 幅広部
６７ｂ 幅狭部
７ 回転子
７１ 突条
７１ａ 後端部
７１ｂ 側面部
７２ 小径部
８ ノック棒
８１ カム歯
８２ 抜け止め突起
９ 被挟持物（保持筒）
【図１】
0004160673.tif 000002
【図２】
0004160673.tif 000003
【図３】
0004160673.tif 000004
【図４】
0004160673.tif 000005
【図５】
0004160673.tif 000006
【図６】
0004160673.tif 000007
【図７】
0004160673.tif 000008
【図８】
0004160673.tif 000009
【図９】
0004160673.tif 000010